(57)【要約】本発明の実施形態は、基地局により、プリアンブルシーケンスに基づいて端末のカバレッジモードを識別するために利用されるカバレッジモード識別方法及び装置を開示する。本発明の実施形態における方法は、端末により、第１のカバレッジモードを決定するステップと、端末により、第１のカバレッジモードに基づいてプリアンブルシーケンスを決定するステップと、端末により、プリアンブルシーケンスを基地局へ送信するステップとを含み、プリアンブルシーケンスは、第１のカバレッジモードを決定するために利用される。基地局が、端末から送信されたプリアンブルシーケンスのみを利用し、端末の信号を受信するために利用されるチャネルを利用せずに、端末のカバレッジモードを決定することができるため、リソースは、グループ化されること又は計画されることを必要とせず、異なるカバレッジモードのセット又はグループ間を厳密に区別する必要がない。ゆえに、チャネルリソースは多重化されることができ、それにより、チャネルリソース利用が改善され、チャネルリソーススケジューリングの複雑度が低減される。
2020518162.tif 000002
【特許請求の範囲】
【請求項１】
端末により、第１のカバレッジモードを決定するステップと、
前記端末により、前記第１のカバレッジモードに基づいてプリアンブルシーケンスを決定するステップと、
前記端末により、前記プリアンブルシーケンスを基地局へ送信するステップと、
を含み、
前記プリアンブルシーケンスは、前記第１のカバレッジモードを決定するために利用される、カバレッジモード識別方法。
【請求項２】
前記第１のカバレッジモードは、拡張カバレッジモード又は通常カバレッジモードである、
請求項１に記載の方法。
【請求項３】
端末により、第１のカバレッジモードを決定する前記ステップは、
前記端末により、プリセット参照信号受信電力範囲を前記基地局から受信することと、
前記端末により、前記基地局からの信号の参照信号受信電力を検出することと、
前記参照信号受信電力が前記プリセット参照信号受信電力範囲に収まる場合に、前記端末により、前記第１のカバレッジモードが前記通常カバレッジモードであると決定すること、又は、前記参照信号受信電力が前記プリセット参照信号受信電力範囲から外れる場合に、前記端末により、前記第１のカバレッジモードが前記拡張カバレッジモードであると決定することと、を含む、
請求項２に記載の方法。
【請求項４】
前記端末により、前記第１のカバレッジモードに基づいてプリアンブルシーケンスを決定する前記ステップは、
前記端末により、前記第１のカバレッジモードに基づいて第１のプリアンブルシーケンスグループを決定することと、
前記端末により、前記第１のプリアンブルシーケンスグループから前記プリアンブルシーケンスを決定することと、を含む、
請求項１〜３のいずれか１項に記載の方法。
【請求項５】
前記端末により、前記第１のカバレッジモードに基づいてプリアンブルシーケンスを決定する前記ステップの前に、前記端末により、前記基地局によってブロードキャストされるシステム情報を受信するステップをさらに含み、
前記端末により、前記第１のカバレッジモードに基づいてプリアンブルシーケンスを決定する前記ステップは、前記端末により、前記システム情報及び前記第１のカバレッジモードに基づいて前記プリアンブルシーケンスを決定すること、を含む、
請求項１〜３のいずれか１項に記載の方法。
【請求項６】
基地局により、端末からのプリアンブルシーケンスを受信するステップと、
前記基地局により、前記プリアンブルシーケンスに基づいて、前記プリアンブルシーケンスに対応するインデックス番号を決定するステップと、
前記基地局により、前記インデックス番号に基づいて、前記端末の第１のカバレッジモードを決定するステップと、を含む、
カバレッジモード識別方法。
【請求項７】
前記第１のカバレッジモードは、拡張カバレッジモード又は通常カバレッジモードである、
請求項６に記載の方法。
【請求項８】
基地局により、端末からプリアンブルシーケンスを受信する前記ステップの前に、前記基地局により、プリセット参照信号受信電力範囲を前記端末に送信するステップをさらに含む、
請求項６又は７に記載の方法。
【請求項９】
前記方法は、前記基地局により、システム情報を前記端末に送信するステップをさらに含み、前記システム情報は、前記第１のカバレッジモードに対応するプリアンブルシーケンスを示すために利用される、
請求項６〜８のいずれか１項に記載の方法。
【請求項１０】
第１のカバレッジモードを決定するように構成された第１の決定モジュールと、
前記第１のカバレッジモードに基づいてプリアンブルシーケンスを決定するように構成された第２の決定モジュールと、
前記プリアンブルシーケンスを基地局に送信するように構成された送信モジュールと、
を備え、前記プリアンブルシーケンスは、前記第１のカバレッジモードを決定するために利用される、端末。
【請求項１１】
前記第１の決定モジュールは、
プリセット参照信号受信電力範囲を前記基地局から受信するように構成された第１の受信サブモジュールと、
前記基地局からの信号の参照信号受信電力を検出するように構成された検出サブモジュールと、
前記参照信号受信電力が前記プリセット参照信号受信電力範囲に収まる場合に、前記第１のカバレッジモードが通常カバレッジモードであると決定する、又は、前記参照信号受信電力が前記プリセット参照信号受信電力範囲を外れる場合に、前記第１のカバレッジモードが拡張カバレッジモードであると決定する、ように構成された第１の決定サブモジュールと、を含む、
請求項１０に記載の端末。
【請求項１２】
前記第２の決定モジュールは、
前記第１のカバレッジモードに基づいて第１のプリアンブルシーケンスグループを決定するように構成された第２の決定サブモジュールと、
前記第１のプリアンブルシーケンスグループから前記プリアンブルシーケンスを決定するように構成された第３の決定サブモジュールと、を含む、
請求項１０又は１１に記載の端末。
【請求項１３】
前記端末は、前記基地局によってブロードキャストされるシステム情報を受信するように構成された受信モジュールをさらに備え、
前記第２の決定モジュールは、前記システム情報及び前記第１のカバレッジモードに基づいて前記プリアンブルシーケンスを決定するように構成された第４の決定サブモジュールを含む、
請求項１０〜１２のいずれか１項に記載の端末。
【請求項１４】
基地局であって、
前記基地局により、端末からのプリアンブルシーケンスを受信するように構成された受信モジュールと、
前記プリアンブルシーケンスに基づいて、前記プリアンブルシーケンスに対応するインデックス番号を決定するように構成された第１の決定モジュールと、
前記インデックス番号に基づいて前記端末の第１のカバレッジモードを決定するように構成された第２の決定モジュールと、
を備える、基地局。
【請求項１５】
プリセット参照信号受信電力範囲を前記端末に送信するように構成された送信モジュールをさらに備える、
請求項１４に記載の基地局。
【請求項１６】
前記第１の決定モジュールは、システム情報を前記端末に送信するように構成された送信サブモジュールを含み、前記システム情報は、前記第１のカバレッジモードに対応するプリアンブルシーケンスを示すために利用される、
請求項１４又は１５に記載の基地局。
【請求項１７】
トランシーバ、メモリ、プロセッサ、及びバスを備える端末であって、
前記トランシーバ、前記メモリ、及び前記プロセッサは、前記バスを用いて接続され、
前記プロセッサは、第１のカバレッジモードを決定し、前記第１のカバレッジモードに基づいてプリアンブルシーケンスを決定するように構成され、
前記トランシーバは、前記プリアンブルシーケンスを基地局に送信するように構成され、前記プリアンブルシーケンスは、前記第１のカバレッジモードを決定するために利用され、
前記メモリは、プログラム、前記第１のカバレッジモード、及び前記プリアンブルシーケンスを格納するように構成される、端末。
【請求項１８】
トランシーバ、メモリ、プロセッサ、及びバスを備える基地局であって、
前記トランシーバ、前記メモリ、及び前記プロセッサは、前記バスを用いて接続され、
前記トランシーバは、端末からプリアンブルシーケンスを受信するように構成され、
前記プロセッサは、前記プリアンブルシーケンスに基づいて、前記プリアンブルシーケンスに対応するインデックス番号を決定し、前記インデックス番号に基づいて前記端末の第１のカバレッジモードを決定するように構成され、
前記メモリは、プログラム、前記第１のカバレッジモード、及び前記プリアンブルシーケンスを格納するように構成される、基地局。
【発明の詳細な説明】
【技術分野】
【０００１】
本発明は、通信分野に関し、特に、カバレッジモード識別方法及び装置に関する。
【背景技術】
【０００２】
ＭＦ（ＭｕｌｔｅＦｉｒｅ）システムは、非承認スペクトル上で独立に作動する無線通信システムであり、リリース１．０の標準化は現在完了している。ＭＦシステムの配置を通して、様々なオペレータ及びサービスプロバイダは、公衆又はプライベートの無線ネットワークを、非承認スペクトル上に、スペクトルの制約なしに独立且つ柔軟に配置してよく、様々な種類の無線ネットワークサービスを提供する。
【０００３】
港、埠頭、自動化生産フローなどのシナリオにおいてＭＦシステムが配置されるとき、ユーザ機器は、通常、比較的高い移動性を特徴とし、ユーザ機器の移動中、基地局によって送信される無線信号は、ユーザ機器と基地局との間の様々な物体によってブロックされる傾向にある。その結果、無線信号の品質は比較的低く、ユーザ機器は、無線信号を正常受信できないことがある。また、比較的多量のユーザ機器があり、移動中、ユーザ機器の無線信号は互いにブロックされる傾向にある。その結果、ユーザ機器は、基地局によって送信されるデータを正常受信できないことがある。この場合、基地局によって配送される信号の品質に対する高い要求があり、基地局は、より良い無線カバレッジ能力を提供して比較的貧弱な無線信号品質のシナリオに対応する必要がある。
【０００４】
現在、ロングタームエボリューションＬＴＥ技術のＲ１２／１３標準では、「拡張カバレッジモード」が導入され、異なるカバレッジモードが格付けされている。セルにアクセスする端末によって必要とされるカバレッジモードを区別して識別するために、それぞれ異なるカバレッジモードにマッピングするようにチャネルリソースが一緒に設計される。異なるカバレッジモードに基づいて、異なる信号カバレッジモードにある端末で異なる処理が実行されるように、端末のカバレッジモードは、端末によって占有されるリソースを利用して互いに区別される。
【０００５】
しかし、ＬＴＥのＲ１２／１３標準では、異なるカバレッジモードに対応するチャネルリソースは多重化できず、異なるカバレッジモードのセット又はグループを厳密に区別するために、リソースはグループ化及び設計される必要がある。従って、比較的高いリソース占有が生じる。
【発明の概要】
【０００６】
本発明の実施形態は、プリアンブルシーケンスに基づいて端末のカバレッジモードを識別するために基地局によって利用されるカバレッジモード識別方法及び装置を提供する。
【０００７】
この観点において、この出願の第１の態様は、カバレッジモード識別方法を提供し、方法は以下の内容を含む。
【０００８】
端末は、第１のカバレッジモードを決定する。任意選択で、第１のカバレッジモードは、拡張カバレッジモード又は通常カバレッジモードである。具体的には、端末は、基地局によって送信されたプリセット参照信号受信電力範囲を受信し、端末は、基地局からの信号の参照信号受信電力を検出し、また、参照信号受信電力がプリセット参照信号受信電力範囲に収まる場合に、端末は、第１のカバレッジモードが通常カバレッジモードであると決定し、又は参照信号受信電力がプリセット参照信号受信電力範囲から外れる場合に、端末は、第１のカバレッジモードが拡張カバレッジモードであると決定する。プリセット参照信号受信電力範囲は、１つの閾値を含んでよい。閾値以上の値又は閾値を超える値は、プリセット参照信号受信電力範囲に収まるとみなされる。閾値未満の値又は閾値以下の値は、プリセット参照信号受信電力範囲から外れるとみなされる。例えば、閾値がａの場合、ａ以上の全ての値は、プリセット参照信号受信電力範囲に収まり、また、ａ未満の全ての値は、プリセット参照信号受信電力範囲から外れる。代替的に、ａを超える全ての値は、プリセット参照信号受信電力範囲に収まり、また、ａ以下の全ての値は、プリセット参照信号受信電力範囲から外れる。これはここでは限定されない。プリセット参照信号受信電力範囲は、必要とされる第１のカバレッジモードを決定するために端末によって利用され、端末は、最初に、基地局からの信号の参照信号受信電力（Ｒｅｆｅｒｅｎｃｅ  Ｓｉｇｎａｌ  Ｒｅｃｅｉｖｉｎｇ  Ｐｏｗｅｒ、ＲＳＲＰ）を検出し得る。プリセット参照信号受信電力範囲を受信すること、及び基地局からの信号の参照信号受信電力を検出することについての、端末によって実行されるステップ間に時系列関係がないことに留意されたい。具体的には、端末は、基地局からの信号の参照信号受信電力を検出する前、又は基地局からの信号の参照信号受信電力を検出した後、プリセット参照信号受信電力範囲を受信してよい。これはここでは限定されない。
【０００９】
端末は、第１のカバレッジモードに基づいてプリアンブルシーケンスを決定する。具体的には、ＬＴＥに沿うために、ＭＦシステムは、プリアンブルシーケンスのうちの最初の６４個のプリアンブルシーケンスのみを定義する。６４個のプリアンブルシーケンスの後のプリアンブルシーケンスは、「冗長」プリアンブルシーケンスと称される。ここでは、基地局が、ユーザアクセスプロセスにおいて、ユーザの「拡張カバレッジモード」を識別し得るように、標準で定義されていないプリアンブルシーケンスが、「拡張カバレッジユーザ」によって利用されるプリアンブルシーケンスとして定義されてよい。
【００１０】
端末は、プリアンブルシーケンスを基地局に送信し、プリアンブルシーケンスのインデックス番号は、第１のカバレッジモードを示すために利用される。本発明のこの実施形態では、プリアンブルシーケンスを決定した後、端末は、プリアンブルシーケンスを基地局に送信し得る。本発明のこの実施形態では、端末は、チャネルリソース構成情報に基づいてチャネルリソースを決定し、次いで、チャネルリソースを利用してプリアンブルシーケンスを基地局に送信し得る。具体的には、チャネルリソース構成情報は、チャネルについての、サブフレーム情報、周波数領域リソース情報、及びルートシーケンスインデックスを含む。これはここでは限定されない。
【００１１】
本発明のこの実施形態では、基地局は、プリアンブルシーケンスに基づいて、端末の信号を受信するために利用されるチャネルを利用することなく、端末によって必要とされる第１のカバレッジモードを識別し、それゆえに、チャネルリソースが多重化されることができ、それによりリソース消費が削減される。
【００１２】
この出願の実施形態の第１の態様に関連し、この出願の実施形態の第１の態様の第１の実装では、方法は、
端末により、第１のカバレッジモードに基づいて第１のプリアンブルシーケンスグループを決定するステップと、端末により、第１のプリアンブルシーケンスグループからプリアンブルシーケンスを決定するステップとを含む。
【００１３】
この出願の実施形態の第１の態様に関連し、この出願の実施形態の第１の態様の第２の実装では、方法は、
端末により、基地局によってブロードキャストされるシステム情報を受信するステップを含み、端末により、第１のカバレッジモードに基づいてプリアンブルシーケンスを決定するステップは、端末により、システム情報及び第１のカバレッジモードに基づいてプリアンブルシーケンスを決定するステップを含む。
【００１４】
この出願の第２の態様は、
基地局により、端末によって送信されたプリアンブルシーケンスを受信するステップであって、プリアンブルシーケンスは、第１のカバレッジモードを示すために利用され、第１のカバレッジモードは、端末によって必要とされるカバレッジモードを示すために利用される、ステップと、基地局により、プリアンブルシーケンスのインデックス番号に基づいて第１のカバレッジモードを決定するステップと、を含む、カバレッジモード識別方法を提供する。
【００１５】
任意選択で、第１のカバレッジモードは、拡張カバレッジモード又は通常カバレッジモードである。
【００１６】
この出願の実施形態の第２の態様に関連し、この出願の実施形態の第２の態様の第１の実装では、方法は、
基地局により、プリセット参照信号受信電力範囲を端末に送信するステップを含み、プリセット参照信号受信電力範囲は、カバレッジモードを決定するために端末によって利用される。
【００１７】
この出願の実施形態の第２の態様に関連し、この出願の実施形態の第２の態様の第２の実装では、方法は、
基地局により、システム情報を端末に送信するステップを含み、システム情報は、第１のカバレッジモードに対応するプリアンブルシーケンスを示すために利用される。
【００１８】
この出願の第３の態様は、
第１のカバレッジモードを決定するように構成された第１の決定モジュールと、第１のカバレッジモードに基づいてプリアンブルシーケンスを決定するように構成された第２の決定モジュールと、プリアンブルシーケンスを基地局に送信するように構成された送信モジュールとを含む端末を提供し、プリアンブルシーケンスのインデックス番号は、第１のカバレッジモードを示すために利用される。
【００１９】
任意選択で、第１の決定モジュールは、
基地局によって送信されたプリセット参照信号受信電力範囲を受信するように構成された第１の受信サブモジュールと、基地局からの信号の参照信号受信電力を検出するように構成された検出サブモジュールと、参照信号受信電力がプリセット参照信号受信電力範囲に収まる場合に、第１のカバレッジモードが通常カバレッジモードであると決定し、又は参照信号受信電力がプリセット参照信号受信電力範囲から外れる場合に、第１のカバレッジモードが拡張カバレッジモードであると決定する第１の決定サブモジュールとを含む。
【００２０】
任意選択で、第２の決定モジュールは、
第１のカバレッジモードに基づいて第１のプリアンブルシーケンスグループを決定するように構成された第２の決定サブモジュールと、第１のプリアンブルシーケンスグループからプリアンブルシーケンスを決定するように構成された第３の決定サブモジュールとを含む。
【００２１】
任意選択で、端末は、
基地局によってブロードキャストされるシステム情報を受信するように構成された受信モジュールをさらに含む。
【００２２】
任意選択で、第２の決定モジュールは、
システム情報及び第１のカバレッジモードに基づいてプリアンブルシーケンスを決定するように構成された第４の決定サブモジュールを含む。
【００２３】
この出願の第４の態様は、
端末によって送信されたプリアンブルシーケンスを受信するように構成された受信モジュールであって、プリアンブルシーケンスは、第１のカバレッジモードを示すために利用され、第１のカバレッジモードは、端末によって必要とされるカバレッジモードを示すために利用される、受信モジュールと、プリアンブルシーケンスのインデックス番号に基づいて第１のカバレッジモードを決定するように構成される決定モジュールとを含む、基地局を提供する。
【００２４】
任意選択で、基地局は、
プリセット参照信号受信電力範囲を端末に送信するように構成された送信モジュールをさらに含み、プリセット参照信号受信電力範囲は、カバレッジモードを決定するために端末によって利用される。
【００２５】
任意選択で、決定モジュールは、
システム情報及び第１のカバレッジモードに基づいて端末がプリアンブルシーケンスを決定するように、システム情報を端末に送信するように構成された送信サブモジュールを含む。
【００２６】
この出願の第５の態様は、
トランシーバ、メモリ、プロセッサ、及びバスを含む端末を提供し、トランシーバ、メモリ、及びプロセッサは、バスを利用して接続され、プロセッサは、第１のカバレッジモードを決定し、第１のカバレッジモードに基づいてプリアンブルシーケンスを決定するように構成され、トランシーバは、プリアンブルシーケンスを基地局に送信するように構成され、プリアンブルシーケンスのインデックス番号は、第１のカバレッジモードを示すために利用され、メモリは、プログラム、第１のカバレッジモード、及びプリアンブルシーケンスを格納するように構成される。
【００２７】
この出願の第６の態様は、
トランシーバ、メモリ、プロセッサ、及びバスを含む基地局を提供し、トランシーバ、メモリ、及びプロセッサは、バスを利用して接続され、トランシーバは、端末によって送信されるプリアンブルシーケンスを受信するように構成され、プリアンブルシーケンスは、第１のカバレッジモードを示すために利用され、第１のカバレッジモードは、端末によって必要とされるカバレッジモードを示すために利用され、プロセッサは、プリアンブルシーケンスのインデックス番号に基づいて第１のカバレッジモードを決定するように構成され、メモリは、プログラム、第１のカバレッジモード、及びプリアンブルシーケンスを格納するように構成される。
【００２８】
この出願の別の態様は、コンピュータ可読記録媒体を提供する。コンピュータ可読記録媒体は、命令を格納する。命令がコンピュータ上で実行されると、コンピュータは、前述の態様における方法を実行する。
【００２９】
前述の技術的解決策から、本発明の実施形態は以下の利点を有することが理解できる。
【００３０】
端末は、第１のカバレッジモードを決定し、端末は、第１のカバレッジモードに基づいてプリアンブルシーケンスを決定し、また、端末は、プリアンブルシーケンスを基地局に送信する。プリアンブルシーケンスは、第１のカバレッジモードを決定するために利用される。基地局は、端末の信号を受信するために利用されるチャネルを利用することなく、端末によって送信されるプリアンブルシーケンスのみを利用して端末のカバレッジモードを決定できるため、リソースはグループ化又は設計される必要がなく、異なるカバレッジモードのセット又はグループを厳密に区別する必要がない。従って、チャネルリソースは多重化でき、それによりチャネルリソース利用が改善し、チャネルリソーススケジューリングの複雑度が低減する。
【図面の簡単な説明】
【００３１】
【図１】この出願の実施形態による通信システムのアーキテクチャの概略図である。
【図２】この出願の実施形態によるカバレッジモード識別方法の実施形態の概略図である。
【図３】この出願の実施形態による端末の実施形態の概略図である。
【図４】この出願の実施形態による端末の別の実施形態の概略図である。
【図５】この出願の実施形態による端末の別の実施形態の概略図である。
【図６】この出願の実施形態による端末の別の実施形態の概略図である。
【図７】この出願の実施形態による基地局の実施形態の概略図である。
【図８】この出願の実施形態による基地局の別の実施形態の概略図である。
【図９】この出願の実施形態による基地局の別の実施形態の概略図である。
【図１０】この出願の実施形態による端末の実施形態の概略図である。
【図１１】この出願の実施形態による基地局の実施形態の概略図である。
【発明を実施するための形態】
【００３２】
本発明の実施形態は、プリアンブルシーケンスに基づいて端末のカバレッジモードを識別するために基地局によって利用されるカバレッジモード識別方法及び装置を提供する。
【００３３】
本発明の実施形態における技術的解決策を当業者により良く理解させるために、以下では、本発明の実施形態における技術的解決策を、本発明の実施形態における添付図面を参照して明確且つ完全に説明する。明らかに、記載された実施形態は、本発明の実施形態のいくつかであるに過ぎず全てではない。
【００３４】
本発明の明細書、特許請求の範囲、及び添付図面において、用語「第１の」、「第２の」、「第３の」、「第４の」など（もしあれば）は、類似の対象を区別することを意図しており、特定の順序や系列を必ずしも示すものではない。そのような方法で命名されたデータは、ここで説明される実施形態が、ここで例示又は説明される順序以外の順序で実装できるように、適切な状況において置き換え可能であることを理解されたい。さらに、用語「含む」、「内包する」、及びその他の変形は、非排他的な包含を網羅することを意味し、例えば、ステップ又はユニットのリストを含む、プロセス、方法、システム、製品、又はデバイスは、必ずしもこれらのステップ又はユニットに限定されないが、明示的にリストされていない又はそのようなプロセス、方法、システム、製品、又はデバイスに固有の、他のステップ又はユニットを含んでもよい。
【００３５】
図１を参照すると、図１は、この出願の実施形態による通信システムのアーキテクチャを示す。通信システムは、基地局及び端末を含む。
【００３６】
この出願のこの実施形態では、基地局、即ち、公衆モバイル通信基地局は、無線局の形態であり、モバイル通信交換センターを利用して特定の無線カバレッジ領域における携帯電話端末との情報転送を実行する無線トランシーバ局である。
【００３７】
この出願のこの実施形態では、端末は、携帯電話、タブレットコンピュータ、ＰＤＡ（Ｐｅｒｓｏｎａｌ  Ｄｉｇｉｔａｌ  Ａｓｓｉｓｔａｎｔ、パーソナルデジタルアシスタント）、ＰＯＳ（Ｐｏｉｎｔ  ｏｆ  Ｓａｌｅｓ、ポイントオブセール）、車載コンピュータなどを含む任意の端末デバイスであってよい。端末の構造は、携帯電話の例を利用して説明され、無線周波数（Ｒａｄｉｏ  Ｆｒｅｑｕｅｎｃｙ、ＲＦ）回路、メモリ、入力ユニット、ディスプレイユニット、センサ、音声周波数回路、Ｗｉｒｅｌｅｓｓ  Ｆｉｄｅｌｉｔｙ（無線フィデリティ、ＷｉＦｉ）モジュール、プロセッサ、及び電源などのコンポーネントを含む。当業者は、携帯電話の構造が携帯電話に制限を課さず、携帯電話が図に示されているものよりも多い又は少ないコンポーネントを含んでもよく、又は、いくつかのコンポーネントを組み合わせてもよく、又は、異なるコンポーネント配置を有してもよいことを理解し得る。
【００３８】
この出願のこの実施形態では、１つの基地局が１つ以上のセルにサービスを提供し得る。セルはセルラセルとも称され、セルラモバイル通信システムにおける同じ基地局によってカバーされる領域である。端末は、無線チャネルを利用して領域内の基地局と通信し得る。いくつかの実施可能な実施形態では、セルは、代替的にセクタであってよい。これはここでは限定されない。
【００３９】
港、埠頭、自動化生産フローなどのシナリオに通信システムが適用されるとき、ユーザ機器は、通常、比較的高い移動性を特徴とし、ユーザ機器の移動中、基地局によって送信される無線信号は、ユーザ機器と基地局との間の様々な物体によってブロックされる傾向がある。その結果、無線信号の品質は比較的低い。代替的に、比較的大量のユーザ機器があり、移動中、ユーザ機器の無線信号は、互いにブロックされる傾向がある。その結果、ユーザ機器は、基地局によって送信されるデータを正常受信できないことがある。この場合、基地局によって配送される信号の品質には高い要求があり、基地局は、比較的低い無線信号品質のシナリオに対応するために、より良い無線カバレッジ能力を提供する必要がある。
【００４０】
そのようなシナリオに対応するために、多くの異なる「カバレッジモード」シナリオがあり、基地局は、異なる処理を実行し、より良好なサービスをセルユーザに提供するために、端末によって必要とされる「カバレッジモード」を適時の方法で識別できることが要求される。そのため、「拡張カバレッジモード」が導入され、異なる信号カバレッジ能力が格付けされる。セルにアクセスする端末によって必要とされる信号カバレッジ能力を区別して識別するために、チャネルリソースが一緒に設計され、それぞれ異なるカバレッジモードにマッピングされる。異なるカバレッジモードに基づいて、異なるカバレッジモードにおける端末で、異なる処理が実行されるように、端末のカバレッジモードは、端末によって占有されるリソースを利用して互いに区別される。但し、この方法では、異なるカバレッジモードのセット又はグループを厳密に区別するために、異なるカバレッジモードに対応するチャネルリソースが多重化できず、リソースがグループ化され且つ設計される必要がある。その結果、チャネルリソース利用が低減され、チャネルリソーススケジューリング複雑度が増大される。
【００４１】
従って、本発明では、端末は、第１のカバレッジモードを決定し、端末は、第１のカバレッジモードに基づいてプリアンブルシーケンスを決定し、端末は、プリアンブルシーケンスを基地局に送信する。プリアンブルシーケンスのインデックス番号は、第１のカバレッジモードを示すために利用される。基地局は、端末によって送信されたプリアンブルシーケンスのみを利用し、端末の信号を受信するために利用されるチャネルを利用せずに、端末のカバレッジモードを決定できるため、リソースは、グループ化又は設計される必要がなく、異なるカバレッジモードのセット又はグループを厳密に区別する必要がない。従って、チャネルリソースは多重化でき、それにより、チャネルリソース利用が改善され、チャネルリソーススケジューリングの複雑度が低減する。
【００４２】
理解を容易にするために、この出願の実施形態における具体的な手順が以下で説明される。図２を参照すると、この出願の実施形態によるカバレッジモード識別方法の実施形態は、以下のステップを含む。
【００４３】
２０１．端末は、第１のカバレッジモードを決定する。
【００４４】
本発明のこの実施形態では、端末及び基地局は、互いに通信する前に同期を最初に実施してよい。具体的には、端末は、最初に、一次同期信号（Ｐｒｉｍａｒｙ  Ｓｙｎｃｈｒｏｎｉｚａｔｉｏｎ  Ｓｉｇｎａｌ、ＰＳＳ）及び／又は二次同期信号（Ｓｅｃｏｎｄａｒｙ  Ｓｙｎｃｈｒｏｎｉｚａｔｉｏｎ  Ｓｉｇｎａｌ、ＳＳＳ）を探索し、次いで、端末と基地局とが接続され、互いに情報を交換するまで、マスタ情報ブロック（Ｍａｓｔｅｒ  Ｉｎｆｏｒｍａｔｉｏｎ  Ｂｌｏｃｋ、ＭＩＢ）及び／又はシステム情報ブロック（Ｓｙｓｔｅｍ  Ｉｎｆｏｒｍａｔｉｏｎ  Ｂｌｏｃｋｓ、ＳＩＢ）を解析し、それにより、端末は、基地局のサービングエリア内にいるときに基地局によってサービスを受けられ得る。
【００４５】
本発明のこの実施形態では、基地局がサービングエリア内でブロードキャスト信号を送信する場合、基地局のブロードキャスト信号を受信するとき、端末は、受信されたブロードキャスト信号の強度に基づいて、端末によって必要とされる第１のカバレッジモードを決定する。具体的には、第１のカバレッジモードは、拡張カバレッジモード又は通常カバレッジモードであってよい。第１のカバレッジモードは、１／２／３／４…などの異なるレベルをさらに含んでよいことに留意されたい。これはここでは限定されない。ここでは、第１のカバレッジモードが拡張カバレッジモード及び通常カバレッジモードである例が説明のために利用される。
【００４６】
本発明のこの実施形態では、端末が、端末の第１のカバレッジモードを決定する必要があるとき、端末は、最初に、基地局によって送信されたプリセット参照信号受信電力範囲を受信し得る。プリセット参照信号受信電力範囲は、端末と基地局とを同期するプロセスにおいて基地局から端末によって受信されてもよいし、又は、端末と基地局とが接続された後に基地局によって端末に積極的に送信されてもよいし、又は、端末がプリセット参照信号受信電力範囲を必要とするときに、基地局に要求を送信することによって端末によって取得されてもよい、ことに留意されたい。これはここでは限定されない。また、プリセット参照信号受信電力範囲は、１つの閾値を含んでよい。閾値以上の値又は閾値を超える値は、プリセット参照信号受信電力範囲に収まるとみなされる。閾値未満の値又は閾値以下の値は、プリセット参照信号受信電力範囲から外れるとみなされる。例えば、閾値がａの場合、ａ以上の全ての値はプリセット参照信号受信電力範囲に収まり、ａ未満の全ての値はプリセット参照信号受信電力範囲から外れる。代替的に、ａを超える全ての値はプリセット参照信号受信電力範囲に収まり、ａ以下の全ての値はプリセット参照信号受信電力範囲から外れる。これはここでは限定されない。
【００４７】
いくつかの別の実施可能な実施形態では、プリセット参照信号受信電力範囲は、２つの値、例えば、ａ及びｂを含み得る。値が（ａ、ｂ）、（ａ、ｂ］、［ａ、ｂ）、又は［ａ、ｂ］の範囲に収まる場合、それは、プリセット参照信号受信電力範囲に収まるとみなされ得る。値が（ａ、ｂ）、（ａ、ｂ］、［ａ、ｂ）、又は［ａ、ｂ］の範囲から外れる場合、それは、プリセット参照信号受信電力範囲から外れるとみなされ得る。これはここでは限定されない。
【００４８】
プリセット参照信号受信電力範囲は、必要とされる第１のカバレッジモードを決定するために端末によって利用され、端末は、最初に、基地局からの信号の参照信号受信電力（Ｒｅｆｅｒｅｎｃｅ  Ｓｉｇｎａｌ  Ｒｅｃｅｉｖｉｎｇ  Ｐｏｗｅｒ、ＲＳＲＰ）を検出する。プリセット参照信号受信電力範囲を受信すること、及び、基地局からの信号の参照信号受信電力を検出することについての、端末によって実行されるステップ間に時系列関係がないことに留意されたい。具体的には、端末は、基地局からの信号の参照信号受信電力を検出する前に、又は、基地局からの信号の参照信号受信電力を検出した後に、プリセット参照信号受信電力範囲を受信してもよい。これはここでは限定されない。
【００４９】
ＬＴＥ及びＭＦシステムにおいて、ＲＳＲＰは、無線信号強度を表し得るキーパラメータであり、物理レイヤメジャーメント要件の１つであり、そして、、参照信号を搬送するシンボルにおける全てのリソースエレメント上で受信される信号の平均電力値であることに留意されたい。
【００５０】
本発明のこの実施形態では、第１のカバレッジモードが拡張カバレッジモード及び通常カバレッジモードである例が利用される。参照信号受信電力がプリセット参照信号受信電力範囲に収まる場合に、端末は、第１のカバレッジモードが通常カバレッジモードであると決定し、又は、参照信号受信電力がプリセット参照信号受信電力範囲から外れる場合に、端末は、第１のカバレッジモードが拡張カバレッジモードであると決定する、とみなされ得る。
【００５１】
２０２．端末は、第１のカバレッジモードに基づいてプリアンブルシーケンスを決定する。
【００５２】
本発明のこの実施形態では、第１のカバレッジモードを決定した後、端末は、第１のカバレッジモードに基づいて対応するプリアンブルシーケンスを決定し得る。
【００５３】
いくつかの実施可能な実施形態では、「ルートシーケンス」は、プリアンブルシーケンスを利用する特定数量のユーザ（以下では、プリアンブルシーケンスユーザと称する）をサポートするために事前定義されてよい。プリアンブルシーケンス形式は、占有チャネルリソース（インタレース）、ルートシーケンス、直交カバーコード（ｏｒｔｈｏｇｏｎａｌ  ｃｏｖｅｒ  ｃｏｄｅ、ＯＣＣ）、及び循環シフトパラメータ（Ｎｃｓ）に関連付けられることに留意されたい。
【００５４】
「ルートシーケンス」は、プリアンブルシーケンスを生成するために利用されるシーケンスであることに留意されたい。インタレースは、ＭＦシステムのアップリンクリソース割り当て単位である。１つのインタレースは、１０個のＰＲＢ（物理リソースブロック）を含み、１０個のＰＲＢは、システム帯域幅に均等に分配される。２０ＭＨｚ及び１００個のＰＲＢが一例として利用される。インタレース０は、１０個のＰＲＢ、即ち、ＰＲＢ０、ＰＲＢ１０、ＰＲＢ２０、…、ＰＲＢ９０を含む。インタレース１は、１０個のＰＲＢ、即ち、ＰＲＢ１、ＰＲＢ１１、ＰＲＢ２１、…、ＰＲＢ９１を含む。ＯＣＣ及びＮｃｓは、それぞれ、ルートシーケンス上でのマスキング処理及び循環オフセット処理を実行するために、そして、異なるプリアンブルシーケンスを生成するために利用される。ＭＦシステムでは、利用可能な４種類のＯＣＣがあり、また、利用可能なタイプの循環オフセットは、Ｎｃｓ構成、即ち１２／Ｎｃｓ、に基づいて計算される。
【００５５】
本発明のこの実施形態では、Ｎｃｓが定義された後、１つのインタレースを占有することによって、１つの「ルートシーケンス」によりサポート可能なプリアンブルシーケンスユーザの数量は、４＊１２／Ｎｃｓとして定義され得る。インタレースリソース上での制限がない場合、６４ユーザがサポートされることができるまで、インタレースが追加され、又は、インタレースリソース上での制限がある場合、６４ユーザがサポートされることができるまで、新しい「ルートシーケンス」が追加される。
【００５６】
いくつかの実施可能な実装において、異なるＮｃｓ構成及びインタレース構成のために、ルートシーケンスの必要量及びサポート可能なプリアンブルシーケンスの必要量が以下の表に示される。
【００５７】
【表１】
2020518162.tif 000003
【００５８】
ＬＴＥに沿うため、ＭＦシステムは、プリアンブルシーケンス内の最初の６４個のプリアンブルシーケンスのみを定義する。上記の表に示すように、Ｎｃｓ＝１／２／４の構成に対しては、サポートされるプリアンブルシーケンスユーザの数量は６４を超える（９６／７２／７０）。但し、標準では最初の６４個のプリアンブルシーケンスのみが定義され、また、６４個のプリアンブルシーケンス後のプリアンブルシーケンスであり、且つ「冗長」プリアンブルシーケンスと称されるプリアンブルシーケンスは、現在の標準では定義されていない。１つのインタレースがあるとき、Ｎｃｓ＝１／２／４の場合、それぞれ３２／８／６の冗長プリアンブルシーケンスがある。２つのインタレースがあるとき、Ｎｃｓ＝１／２／４の場合、それぞれ３２／８／８の冗長プリアンブルシーケンスがある。全ての他のＮｃｓ構成では、０個の冗長プリアンブルシーケンスがある。ここでは、基地局は、ユーザアクセスプロセスにおいてユーザの「拡張カバレッジモード」を識別し得るように、標準で定義されていないプリアンブルシーケンスは、「拡張カバレッジユーザ」によって利用されるプリアンブルシーケンスとして定義される。詳細については、以下の表を参照されたい。
【００５９】
【表２】
2020518162.tif 000004
【００６０】
システムにおいて２つのインタレースが設定されているとき、以下の表が参照され得る。
【００６１】
【表３】
2020518162.tif 000005
【００６２】
この方法において、「通常カバレッジモード」及び「拡張カバレッジモード」をそれぞれサポートするプリアンブルシーケンスは、定義されたインタレース及び対応するルートインデックスを利用して定義される。プリアンブルシーケンスは、インデックス番号に対応していることに留意されたい。プリアンブルシーケンスとインデックス番号との対応関係は、事前に設定されるか、又はブロードキャストチャネルを利用して基地局によって端末に通知される。事前設定は、標準又はプロトコルにおいて規定される。具体的には、プリアンブルシーケンスのインデックス番号は、第１のカバレッジモードを決定するために利用される。
【００６３】
本発明のこの実施形態では、端末が通常カバレッジモードを必要とするとき、インデックス番号が０から６３のプリアンブルシーケンスが、プリアンブルシーケンスグループとして選択され得る。端末が拡張カバレッジモードを必要とし、Ｎｃｓが１のとき、インデックス番号が６４から９５のプリアンブルシーケンスが、プリアンブルシーケンスグループとして選択され得る。上記の表に基づいて、Ｎｃｓが３／６／１２であり、２つのインタレースがあるとき、サポート可能な６４プリアンブルシーケンスユーザがあり、従って、冗長ユーザがないことに留意されたい。この場合、「拡張カバレッジモード」におけるプリアンブルシーケンスはサポートされない。従って、端末は、プリアンブルシーケンスとして、プリアンブルシーケンスセットから１つのプリアンブルシーケンスを選択し得る。
【００６４】
上記の表の例では、Ｎｃｓ＝１／２／４のときのみ、「拡張カバレッジモード」においてユーザによって利用可能な冗長プリアンブルシーケンスがあり、従って、大きな制約がある。従って、いくつかの他の実施可能な実施形態では、この状況を改善するために、各Ｎｃｓ構成に対して、Ｎｃｓ構成によってサポートされるプリアンブルシーケンスによってサポートされるユーザの数量が９６に拡張される。詳細については、次の表を参照されたい。
【００６５】
【表４】
2020518162.tif 000006
【００６６】
Ｎｃｓ＝１のケースを除く、他の全てのケース、即ち、Ｎｃｓ＝２／３／４／６／１２は、「利用されるルートシーケンスの量」の増加を引き起こす。Ｎｃｓ＝２／３／４／６／１２については、システムにおいて設定されたインタレースの量が１のとき、利用される「ルートシーケンス」の増加量が、それぞれ１／２／３／２／８であり、また、システムにおいて２つのインタレースが設定されるとき、利用される「ルートシーケンス」の増加量は、それぞれ０／１／１／２／４である。
【００６７】
全てのＮｃｓ構成におけるプリアンブルシーケンスに対応する第１のカバレッジモードについては、以下の表を参照されたい。
【００６８】
【表５】
2020518162.tif 000007
【００６９】
この方法において、冗長プリアンブルシーケンスを利用するステップの中で「拡張カバレッジモード」においてプリアンブルシーケンスユーザをサポートするために、Ｎｃｓの各可能な値に対する冗長プリアンブルシーケンスがある。
【００７０】
「ルートシーケンス」を定義するための前述の２つの方法に加えて、「拡張カバレッジモード」においてプリアンブルシーケンスユーザをサポートするために冗長なプリアンブルシーケンスが生成可能である限りにおいて、別の方法があり得ることに留意されたい。これはここでは限定されない。
【００７１】
いくつかの実施可能な実施形態では、端末は、第１のカバレッジモードに基づいてプリセットプロトコルから対応するプリアンブルシーケンスを決定するだけでなく、基地局によってブロードキャストされるシステム情報を受信し、次いで、システム情報及び第１のカバレッジモードに基づいてプリアンブルシーケンスを決定し得る。これはここでは限定されない。
【００７２】
例えば、システム情報は、「拡張カバレッジモード」に対応するプリアンブルシーケンスグループを示すための以下の情報、即ち、
sizeOfRA-PreamblesGroupCE ENUMERATED {n4, n8, n12, n16, n20, n24, n28, n32}
を搬送してもよく、ここで、ｎ４は、拡張カバレッジモードに対応するプリアンブルシーケンスグループ内に４つの利用可能なプリアンブルシーケンスがあり、且つプリアンブルシーケンスの対応するインデックス番号が６４から６７であることを示し、ｎ８は、拡張カバレッジモードに対応するプリアンブルシーケンスグループ内に８つの利用可能なプリアンブルシーケンスがあり、且つプリアンブルシーケンスの対応するインデックス番号が６４から７１であることを示す、などである。
【００７３】
例えば、システム情報は、「拡張カバレッジモード」に対応するプリアンブルシーケンスグループを示すために以下の情報、即ち
sizeOfRA-PreamblesGroupCE ENUMERATED {n4, n8, n12, n16, n20, n24, n28, n32, n64}
を搬送してよく、ここで、ｎ４は、拡張カバレッジモードに対応するプリアンブルシーケンスグループ内に４つの利用可能なプリアンブルシーケンスがあり、且つプリアンブルシーケンスの対応するインデックス番号がｘからｘ＋３であることを示し、ｎ８は、拡張カバレッジモードに対応するプリアンブルシーケンスグループ内に８つの利用可能なプリアンブルシーケンスがあり、且つプリアンブルシーケンスの対応するインデックス番号がｘからｘ＋７であることを示す、などであり、ｘは、プリアンブルシーケンスグループにおけるプリアンブルシーケンスの開始インデックス番号を表し、６４などのプリセット値であってよく、又は、システム情報を利用して決定されてよい。例えば、既存のシステム情報において、以下のパラメータ、即ち
numberOfRA-Preambles ENUMERATED {n4、n8、n12、n16、n20、n24、n28、n32、n36、n40、n44、n48、n52、n56、n60、n64 }
が設定され、また、ｘの値は、numberOfRA-Preamblesである。
【００７４】
２０３．端末は、プリアンブルシーケンスを基地局に送信し、プリアンブルシーケンスは、第１のカバレッジモードを決定するために利用される。
【００７５】
本発明のこの実施形態では、プリアンブルシーケンスを決定した後、端末は、プリアンブルシーケンスを基地局に送信し得る。本発明のこの実施形態では、端末は、チャネルリソース構成情報に基づいてチャネルリソースを決定し、次いで、チャネルリソースを利用してプリアンブルシーケンスを基地局に送信し得る。具体的には、チャネルリソース構成情報は、チャネルの、サブフレーム情報、周波数領域リソース情報、及びルートシーケンスインデックスを含む。これはここでは限定されない。
【００７６】
２０４．基地局は、プリアンブルシーケンスに基づいて第１のカバレッジモードを決定する。
【００７７】
本発明のこの実施形態では、基地局は、端末によって送信されたプリアンブルシーケンスを受信し、基地局は、プリアンブルシーケンスに基づいて、プリアンブルシーケンスに対応するインデックス番号を決定する。基地局は、端末の信号を受信するために利用されるチャネルを利用せずに、インデックス番号に基づいて端末の第１のカバレッジモードを決定する。従って、チャネルリソースが多重化でき、それによりリソースの消費が低減される。
【００７８】
図３を参照すると、図３は、
第１のカバレッジモードを決定するように構成された第１の決定モジュール３０１と、
第１のカバレッジモードに基づいてプリアンブルシーケンスを決定するように構成された第２の決定モジュール３０２と、
プリアンブルシーケンスを基地局に送信するように構成された送信モジュール３０３と、を備える、本発明の実施形態による端末３００を示し、プリアンブルシーケンスのインデックス番号は、第１のカバレッジモードを示すために利用される。
【００７９】
図４を参照すると、第１の決定モジュール３０１は、
基地局によって送信されたプリセット参照信号受信電力範囲を受信するように構成された第１の受信サブモジュール３０１１と、
基地局からの信号の参照信号受信電力を検出するように構成された検出サブモジュール３０１２と、
参照信号受信電力がプリセット参照信号受信電力範囲に収まる場合に、第１のカバレッジモードが通常カバレッジモードであると決定し、又は、参照信号受信電力がプリセット参照信号受信電力範囲から外れる場合に、第１のカバレッジモードが拡張カバレッジモードであると決定する、ように構成された第１の決定サブモジュール３０１３とを含む。
【００８０】
図５を参照すると、第２の決定モジュール３０２は、
第１のカバレッジモードに基づいて第１のプリアンブルシーケンスグループを決定するように構成された第２の決定サブモジュール３０２１と、
第１のプリアンブルシーケンスグループからプリアンブルシーケンスを決定するように構成された第３の決定サブモジュール３０２２とを含む。
【００８１】
図６を参照すると、端末は、
基地局によってブロードキャストされるシステム情報を受信するように構成された受信モジュール３０４を含む。
【００８２】
図７を参照すると、第２の決定モジュール３０２は、
システム情報及び第１のカバレッジモードに基づいてプリアンブルシーケンスを決定するように構成された第４の決定サブモジュール３０２３を含む。
【００８３】
図８を参照すると、図８は、本発明の実施形態による基地局４００であり、
端末によって送信されるプリアンブルシーケンスを受信するように構成された受信モジュール４０１であって、プリアンブルシーケンスは、第１のカバレッジモードを示すために利用され、第１のカバレッジモードは、端末によって必要とされるカバレッジモードを示すために利用されるものと、
プリアンブルシーケンスに基づいて、プリアンブルシーケンスに対応するインデックス番号を決定するように構成された第１の決定モジュール４０２と、
インデックス番号に基づいて端末の第１のカバレッジモードを決定するように構成された第２の決定モジュール４０３とを含む。
【００８４】
図８を参照すると、基地局４００は、
プリセット参照信号受信電力範囲を端末に送信するように構成された送信モジュール４０３をさらに含み、プリセット参照信号受信電力範囲は、端末によってカバレッジモードを決定するために利用される。
【００８５】
図９を参照すると、第１の決定モジュール４０２は、
端末がシステム情報及び第１のカバレッジモードに基づいてプリアンブルシーケンスを決定するように、システム情報を端末に送信するように構成された送信サブモジュール４０２１を含む。
【００８６】
図１０を参照すると、図１０は、トランシーバ５０１、メモリ５０２、プロセッサ５０３、及びバス５０４を含む、本発明の実施形態による端末５００を示す。
【００８７】
トランシーバ５０１、メモリ５０２、及びプロセッサ５０３は、バス５０４を利用して接続される。
【００８８】
プロセッサ５０３は、第１のカバレッジモードを決定し、第１のカバレッジモードに基づいてプリアンブルシーケンスを決定するように構成される。
【００８９】
プロセッサ５０３は、中央処理装置（英語：ｃｅｎｔｒａｌ  ｐｒｏｃｅｓｓｉｎｇ  ｕｎｉｔ、略してＣＰＵ）、ネットワークプロセッサ（英語：ｎｅｔｗｏｒｋ  ｐｒｏｃｅｓｓｏｒ、略してＮＰ）、又はＣＰＵとＮＰとの組み合わせであってよい。
【００９０】
プロセッサ５０３は、ハードウェアチップをさらに含んでよい。ハードウェアチップは、特定用途向け集積回路（英語：ａｐｐｌｉｃａｔｉｏｎ−ｓｐｅｃｉｆｉｃ  ｉｎｔｅｇｒａｔｅｄ  ｃｉｒｃｕｉｔ、略してＡＳＩＣ）、プログラマブルロジックデバイス（英語：ｐｒｏｇｒａｍｍａｂｌｅ  ｌｏｇｉｃ  ｄｅｖｉｃｅ、略してＰＬＤ）、又はそれらの組み合わせであってよい。ＰＬＤは、複合型プログラマブルロジックデバイス（英語：ｃｏｍｐｌｅｘ  ｐｒｏｇｒａｍｍａｂｌｅ  ｌｏｇｉｃ  ｄｅｖｉｃｅ、略してＣＰＬＤ）、フィールドプログラマブルゲートアレイ（英語：ｆｉｅｌｄ−ｐｒｏｇｒａｍｍａｂｌｅ  ｇａｔｅ  ａｒｒａｙ、略してＦＰＧＡ）、汎用アレイロジック（英語：ｇｅｎｅｒｉｃ  ａｒｒａｙ  ｌｏｇｉｃ、略してＧＡＬ）、又はそれらの任意の組み合わせであってよい。
【００９１】
トランシーバ５０１は、プリアンブルシーケンスを基地局に送信するように構成され、プリアンブルシーケンスは、第１のカバレッジモードを決定するために利用される。
【００９２】
トランシーバ５０１は、プロセッサ５０３と標準通信サブシステムとの間の通信インタフェース（英語：ｃｏｍｍｕｎｉｃａｔｉｏｎ  ｉｎｔｅｒｆａｃｅ）を含んでよい。
【００９３】
トランシーバ５０１は、ＥＩＡ−ＲＳ−２３２Ｃ標準における通信インタフェース、即ち、データ端末機器（英語：Ｄａｔａ  Ｔｅｒｍｉｎａｌ  Ｅｑｕｉｐｍｅｎｔ、略してＤＴＥ）とデータ回線終端機器（英語：Ｄａｔａ  Ｃｉｒｃｕｉｔ−ｔｅｒｍｉｎａｔｉｎｇ  Ｅｑｕｉｐｍｅｎｔ、略してＤＣＥ）との間のシリアルバイナリデータ交換インタフェース技術標準における通信インタフェースをさらに含んでもよく、又は、ＲＳ−４８５プロトコルにおける通信インタフェースを含んでよい。これはここでは限定されない。
【００９４】
メモリ５０２は、プログラム、第１のカバレッジモード、及びプリアンブルシーケンスを格納するように構成される。
【００９５】
メモリ５０２は、揮発性メモリ（英語：ｖｏｌａｔｉｌｅ  ｍｅｍｏｒｙ）、例えば、ランダムアクセスメモリ（英語：ｒａｎｄｏｍ−ａｃｃｅｓｓ  ｍｅｍｏｒｙ、略してＲＡＭ）を含み得る。代替的に、メモリ５０２は、不揮発性メモリ（英語：ｎｏｎ−ｖｏｌａｔｉｌｅ  ｍｅｍｏｒｙ）、例えば、フラッシュメモリ（英語：ｆｌａｓｈ  ｍｅｍｏｒｙ）、ハードディスクドライブ（英語：ｈａｒｄ  ｄｉｓｋ  ｄｒｉｖｅ、略してＨＤＤ）、又はソリッドステートドライブ（英語：ｓｏｌｉｄ−ｓｔａｔｅ  ｄｒｉｖｅ、略してＳＳＤ）を含み得る。代替的に、メモリ５０３は、前述のタイプのメモリの組み合わせを含んでよい。これはここでは限定されない。
【００９６】
図１１を参照すると、図１１は、トランシーバ６０１、メモリ６０２、プロセッサ６０３、及びバス６０４を含む、本発明の実施形態による基地局６００を示す。
【００９７】
トランシーバ６０１、メモリ６０２、及びプロセッサは、バスを利用して接続される。
【００９８】
トランシーバ６０１は、端末によって送信されるプリアンブルシーケンスを受信するように構成され、プリアンブルシーケンスは、第１のカバレッジモードを示すために利用され、第１のカバレッジモードは、端末によって必要とされるカバレッジモードを示すために利用される。
【００９９】
プロセッサ６０３は、プリアンブルシーケンスに基づいて、プリアンブルシーケンスに対応するインデックス番号を決定し、インデックス番号に基づいて端末の第１のカバレッジモードを決定するように構成される。
【０１００】
メモリ６０２は、プログラム、第１のカバレッジモード、及びプリアンブルシーケンスを格納するように構成される。
【０１０１】
前述の実施形態の全て又はいくつかは、ソフトウェア、ハードウェア、ファームウェア、又はそれらの任意の組み合わせによって実装され得る。実施形態を実施するためにソフトウェアが利用されるとき、実施形態は、コンピュータプログラム製品の形態で完全に又は部分的に実装され得る。
【０１０２】
コンピュータプログラム製品は、１つ又は複数のコンピュータ命令を含む。コンピュータプログラム命令がコンピュータ上にロードされて実行されるとき、本発明の実施形態による手順又は機能が全て又は部分的に生成される。コンピュータは、汎用コンピュータ、専用コンピュータ、コンピュータネットワーク、又は他のプログラム可能な装置であってよい。コンピュータ命令は、コンピュータ可読記録媒体に格納されてよいし、又は、コンピュータ可読記録媒体から別のコンピュータ可読記録媒体に伝送されてよい。例えば、コンピュータ命令は、有線（例えば、同軸ケーブル、光ファイバ、又はデジタル加入者回線（ＤＳＬ））又は無線（例えば、赤外線、無線、又はマイクロ波）方式で、Ｗｅｂサイト、コンピュータ、サーバ、又はデータセンタから別のＷｅｂサイト、コンピュータ、サーバ、又はデータセンタに伝送され得る。コンピュータ可読記録媒体は、コンピュータによってアクセス可能な任意の利用可能な媒体、又は、１つ以上の利用可能な媒体を統合するサーバ又はデータセンタなどのデータ記憶装置であってよい。利用可能な媒体は、磁気媒体（例えば、フロッピーディスク、ハードディスク、又は磁気テープ）、光学媒体（例えば、ＤＶＤ）、半導体媒体（例えば、ソリッドステートドライブ  Ｓｏｌｉｄ  Ｓｔａｔｅ  Ｄｉｓｋ（ＳＳＤ））などであってよい。
【０１０３】
便利で簡潔な説明の目的で、前述のシステム、装置、及びユニットの詳細な稼働プロセスについて、前述の方法実施形態における対応するプロセスが参照され得ることは当業者によって明確に理解され得ることであり、詳細は、本明細書では再度説明されない。
【０１０４】
この出願で提供されるいくつかの実施形態では、開示されたシステム、装置、及び方法は、他の方法で実装され得ることを理解されたい。例えば、説明された装置実施形態は単なる一例である。例えば、ユニット分割は単なる論理的な機能分割であり、実際の実装では他の分割であってよい。例えば、複数のユニット又はコンポーネントを別のシステムに結合又は統合したり、一部の機能が無視されたり実行されないことがあり得る。また、表示され又は議論された相互結合又は直接結合又は通信接続は、いくつかのインタフェースを利用して実装されてよい。装置又はユニット間の間接的な結合又は通信接続は、電気的、機械的、又は他の形式で実装されてよい。
【０１０５】
別々の部分として説明されたユニットは、物理的に分離されていてもされていなくてもよく、ユニットとして表示された部分は、物理的なユニットであってもなくてもよく、１つの場所に配置されてもよいし、又は複数のネットワークユニット上に分散されてもよい。ユニットのいくつか又は全ては、実施形態の解決策の目的を達成するために、実際の要件に従って選択されてよい。
【０１０６】
また、本発明の実施形態における機能ユニットは、１つの処理ユニットに統合されてもよいし、ユニットそれぞれが物理的に単独で存在してもよいし、２つ以上のユニットが１つのユニットに統合されてもよい。統合ユニットは、ハードウェアの形態で実装されてもよいし、又はソフトウェア機能ユニットの形態で実装されてもよい。
【０１０７】
統合ユニットがソフトウェア機能ユニットの形態で実装され、独立した製品として販売又は利用されるとき、統合ユニットは、コンピュータ可読記録媒体に格納されてよい。そのような理解に基づいて、本質的に本発明の技術的解決策、又は先行技術に寄与する部分、又は技術的解決策の全て又はいくつかは、ソフトウェア製品の形態で実装されてよい。コンピュータソフトウェア製品は、記録媒体に格納され、（パーソナルコンピュータ、サーバ、又はネットワークデバイスであり得る）コンピュータデバイスに、本発明の実施形態で説明された方法のステップの全て又はいくつかを実行するように命令するためのいくつかの命令を含む。前述の記録媒体は、ＵＳＢフラッシュドライブ、リムーバブルハードディスク、読み取り専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、又は光ディスクなど、プログラムコードを格納できる任意の媒体を含む。
【０１０８】
前述の実施形態は、単に本発明の技術的解決策を説明することを意図しているが、本発明を限定することを意図していない。本発明は前述の実施形態を参照して詳細に説明されるが、当業者は、本発明の実施形態の技術的解決策の思想及び範囲から逸脱することなく、前述の実施形態で説明された技術的解決策に修正を加えたり、その技術的特徴を同等のものに置き換え得ることを理解すべきである。
【図１】
2020518162.tif 000008
【図２】
2020518162.tif 000009
【図３】
2020518162.tif 000010
【図４】
2020518162.tif 000011
【図５】
2020518162.tif 000012
【図６】
2020518162.tif 000013
【図７】
2020518162.tif 000014
【図８】
2020518162.tif 000015
【図９】
2020518162.tif 000016
【図１０】
2020518162.tif 000017
【図１１】
2020518162.tif 000018
【手続補正書】
【提出日】令和1年11月12日(2019.11.12)
【手続補正１】
【補正対象書類名】特許請求の範囲
【補正対象項目名】全文
【補正方法】変更
【補正の内容】
【特許請求の範囲】
【請求項１】
端末により、第１のカバレッジモードを決定するステップと、
前記端末により、前記第１のカバレッジモードに基づいてプリアンブルシーケンスを決定するステップと、
前記端末により、前記プリアンブルシーケンスを基地局へ送信するステップと、
を含む、カバレッジモード識別方法。
【請求項２】
前記第１のカバレッジモードは、拡張カバレッジモード又は通常カバレッジモードである、
請求項１に記載の方法。
【請求項３】
端末により、第１のカバレッジモードを決定する前記ステップは、
前記端末により、プリセット参照信号受信電力範囲を前記基地局から受信することと、
前記端末により、前記基地局からの信号の参照信号受信電力を検出することと、
前記参照信号受信電力が前記プリセット参照信号受信電力範囲に収まる場合に、前記端末により、前記第１のカバレッジモードが前記通常カバレッジモードであると決定すること、又は、前記参照信号受信電力が前記プリセット参照信号受信電力範囲から外れる場合に、前記端末により、前記第１のカバレッジモードが前記拡張カバレッジモードであると決定することと、を含む、
請求項２に記載の方法。
【請求項４】
前記端末により、前記第１のカバレッジモードに基づいてプリアンブルシーケンスを決定する前記ステップは、
前記端末により、前記第１のカバレッジモードに基づいて第１のプリアンブルシーケンスグループを決定することと、
前記端末により、前記第１のプリアンブルシーケンスグループから前記プリアンブルシーケンスを決定することと、を含む、
請求項１〜３のいずれか１項に記載の方法。
【請求項５】
前記端末により、前記第１のカバレッジモードに基づいて第１のプリアンブルシーケンスグループを決定する前記ステップは、前記第１のカバレッジモードが拡張カバレッジモードであり、且つ巡回シフトパラメータが１、２、３、４、６、又は１２であるとき、前記端末により、インデックス番号が６４から９５のプリアンブルシーケンスを前記第１のプリアンブルシーケンスグループとして決定すること、を含む、
請求項４に記載の方法。
【請求項６】
前記端末により、前記第１のカバレッジモードに基づいて第１のプリアンブルシーケンスグループを決定する前記ステップは、前記第１のカバレッジモードが通常カバレッジモードであり、且つ巡回シフトパラメータが１、２、３、４、６、又は１２であるとき、前記端末により、インデックス番号が０から６３のプリアンブルシーケンスを前記第１のプリアンブルシーケンスグループとして決定すること、を含む、
請求項４に記載の方法。
【請求項７】
前記端末により、前記第１のカバレッジモードに基づいてプリアンブルシーケンスを決定する前記ステップの前に、前記端末により、前記基地局によってブロードキャストされるシステム情報を受信するステップをさらに含み、
前記端末により、前記第１のカバレッジモードに基づいてプリアンブルシーケンスを決定する前記ステップは、前記端末により、前記システム情報及び前記第１のカバレッジモードに基づいて前記プリアンブルシーケンスを決定すること、を含む、
請求項１〜３のいずれか１項に記載の方法。
【請求項８】
基地局により、端末からのプリアンブルシーケンスを受信するステップと、
前記基地局により、前記プリアンブルシーケンスに基づいて第１のカバレッジモードを決定するステップと、
を含む、カバレッジモード識別方法。
【請求項９】
前記基地局により、前記プリアンブルシーケンスに基づいて第１のカバレッジモードを決定するステップは、
前記基地局により、前記プリアンブルシーケンスに基づいて、前記プリアンブルシーケンスに対応するインデックス番号を決定することと、
前記基地局により、前記インデックス番号に基づいて、前記端末の前記第１のカバレッジモードを決定することと、を含む、
請求項８に記載の方法。
【請求項１０】
前記第１のカバレッジモードは、拡張カバレッジモード又は通常カバレッジモードである、
請求項８又は９に記載の方法。
【請求項１１】
前記基地局によって決定される前記第１のカバレッジモードは、拡張カバレッジモードであり、前記プリアンブルシーケンスは、第１のプリアンブルシーケンスグループに内包され、前記第１のプリアンブルシーケンスグループ内のプリアンブルシーケンスのインデックス番号は６４から９５であり、巡回シフトパラメータは１、２、３、４、６、又は１２である、
請求項８〜１０のいずれか１項に記載の方法。
【請求項１２】
前記基地局によって決定される前記第１のカバレッジモードは、通常カバレッジモードであり、前記プリアンブルシーケンスは、第１のプリアンブルシーケンスグループに内包され、前記第１のプリアンブルシーケンスグループ内のプリアンブルシーケンスのインデックス番号は０から６３であり、巡回シフトパラメータは１、２、３、４、６、又は１２である、
請求項８〜１０のいずれか１項に記載の方法。
【請求項１３】
基地局により、端末からプリアンブルシーケンスを受信する前記ステップの前に、前記基地局により、プリセット参照信号受信電力範囲を前記端末に送信するステップをさらに含む、
請求項８〜１２のいずれか１項に記載の方法。
【請求項１４】
前記方法は、前記基地局により、システム情報を前記端末に送信するステップをさらに含み、前記システム情報は、前記第１のカバレッジモードに対応するプリアンブルシーケンスを示すために利用される、
請求項８〜１３のいずれか１項に記載の方法。
【請求項１５】
第１のカバレッジモードを決定するように構成された第１の決定モジュールと、
前記第１のカバレッジモードに基づいてプリアンブルシーケンスを決定するように構成された第２の決定モジュールと、
前記プリアンブルシーケンスを基地局に送信するように構成された送信モジュールと、
を備える、カバレッジモード識別装置。
【請求項１６】
前記第１の決定モジュールは、
プリセット参照信号受信電力範囲を前記基地局から受信するように構成された第１の受信サブモジュールと、
前記基地局からの信号の参照信号受信電力を検出するように構成された検出サブモジュールと、
前記参照信号受信電力が前記プリセット参照信号受信電力範囲に収まる場合に、前記第１のカバレッジモードが通常カバレッジモードであると決定する、又は、前記参照信号受信電力が前記プリセット参照信号受信電力範囲を外れる場合に、前記第１のカバレッジモードが拡張カバレッジモードであると決定する、ように構成された第１の決定サブモジュールと、を含む、
請求項１５に記載の装置。
【請求項１７】
前記第２の決定モジュールは、
前記第１のカバレッジモードに基づいて第１のプリアンブルシーケンスグループを決定するように構成された第２の決定サブモジュールと、
前記第１のプリアンブルシーケンスグループから前記プリアンブルシーケンスを決定するように構成された第３の決定サブモジュールと、を含む、
請求項１５又は１６に記載の装置。
【請求項１８】
前記第１のカバレッジモードは、拡張カバレッジモードであり、巡回シフトパラメータは１、２、３、４、６、又は１２であり、前記第２の決定サブモジュールは、インデックス番号が６４から９５のプリアンブルシーケンスを前記第１のプリアンブルシーケンスグループとして決定するように構成される、
請求項１７に記載の装置。
【請求項１９】
前記第１のカバレッジモードは、通常カバレッジモードであり、巡回シフトパラメータは１、２、３、４、６、又は１２であり、前記第２の決定サブモジュールは、インデックス番号が０から６３のプリアンブルシーケンスを前記第１のプリアンブルシーケンスグループとして決定するように構成される、
請求項１７に記載の装置。
【請求項２０】
前記装置は、前記基地局によってブロードキャストされるシステム情報を受信するように構成された受信モジュールをさらに備え、
前記第２の決定モジュールは、前記システム情報及び前記第１のカバレッジモードに基づいて前記プリアンブルシーケンスを決定するように構成された第４の決定サブモジュールを含む、
請求項１５〜１９のいずれか１項に記載の装置。
【請求項２１】
基地局であって、
端末からのプリアンブルシーケンスを受信するように構成された受信モジュールと、
前記プリアンブルシーケンスに基づいて、前記プリアンブルシーケンスに対応するインデックス番号を決定するように構成された第１の決定モジュールと、
前記インデックス番号に基づいて前記端末の第１のカバレッジモードを決定するように構成された第２の決定モジュールと、
を備える、カバレッジモード識別装置。
【請求項２２】
前記第２の決定モジュールによって決定される前記第１のカバレッジモードは、拡張カバレッジモードであり、前記プリアンブルシーケンスは、第１のプリアンブルシーケンスグループに内包され、前記第１のプリアンブルシーケンスグループ内のプリアンブルシーケンスのインデックス番号は６４から９５であり、巡回シフトパラメータは１、２、３、４、６、又は１２である、
請求項２１に記載の装置。
【請求項２３】
前記第２の決定モジュールによって決定される前記第１のカバレッジモードは、通常カバレッジモードであり、前記プリアンブルシーケンスは、第１のプリアンブルシーケンスグループに内包され、前記第１のプリアンブルシーケンスグループ内のプリアンブルシーケンスのインデックス番号は０から６３であり、巡回シフトパラメータは１、２、３、４、６、又は１２である、
請求項２１に記載の装置。
【請求項２４】
プリセット参照信号受信電力範囲を前記端末に送信するように構成された送信モジュールをさらに備える、
請求項２１に記載の装置。
【請求項２５】
前記第１の決定モジュールは、システム情報を前記端末に送信するように構成された送信サブモジュールを含み、前記システム情報は、前記第１のカバレッジモードに対応するプリアンブルシーケンスグループを示すために利用される、
請求項２１に記載の装置。
【請求項２６】
プログラムであって、コンピュータによって前記プログラムが実行されたときに前記コンピュータに請求項１〜７のいずれか１項に記載の方法を実行させる、プログラム。
【請求項２７】
プログラムであって、コンピュータによって前記プログラムが実行されたときに前記コンピュータに請求項８〜１４のいずれか１項に記載の方法を実行させる、プログラム。
【手続補正２】
【補正対象書類名】明細書
【補正対象項目名】０００８
【補正方法】変更
【補正の内容】
【０００８】
端末は、第１のカバレッジモードを決定する。任意選択で、第１のカバレッジモードは、拡張カバレッジモード又は通常カバレッジモードである。具体的には、端末は、基地局によって送信されたプリセット参照信号受信電力範囲を受信し、端末は、基地局からの信号の参照信号受信電力を検出し、また、参照信号受信電力がプリセット参照信号受信電力範囲に収まる場合に、端末は、第１のカバレッジモードが通常カバレッジモードであると決定し、又は参照信号受信電力がプリセット参照信号受信電力範囲から外れる場合に、端末は、第１のカバレッジモードが拡張カバレッジモードであると決定する。プリセット参照信号受信電力範囲は、１つの閾値を含んでよい。閾値以上の値又は閾値を超える値は、プリセット参照信号受信電力範囲に収まるとみなされる。閾値未満の値又は閾値以下の値は、プリセット参照信号受信電力範囲から外れるとみなされる。例えば、閾値がａの場合、ａ以上の全ての値は、プリセット参照信号受信電力範囲に収まり、また、ａ未満の全ての値は、プリセット参照信号受信電力範囲から外れる。代替的に、ａを超える全ての値は、プリセット参照信号受信電力範囲に収まり、また、ａ以下の全ての値は、プリセット参照信号受信電力範囲から外れる。これはここでは限定されない。プリセット参照信号受信電力範囲は、必要とされる第１のカバレッジモードを決定するために端末によって利用され、端末は、最初に、基地局からの信号の参照信号受信電力（Ｒｅｆｅｒｅｎｃｅ  Ｓｉｇｎａｌ  Ｒｅｃｅｉｖｅｄ  Ｐｏｗｅｒ、ＲＳＲＰ）を検出し得る。プリセット参照信号受信電力範囲を受信すること、及び基地局からの信号の参照信号受信電力を検出することについての、端末によって実行されるステップ間に時系列関係がないことに留意されたい。具体的には、端末は、基地局からの信号の参照信号受信電力を検出する前、又は基地局からの信号の参照信号受信電力を検出した後、プリセット参照信号受信電力範囲を受信してよい。これはここでは限定されない。
【手続補正３】
【補正対象書類名】明細書
【補正対象項目名】００３７
【補正方法】変更
【補正の内容】
【００３７】
この出願のこの実施形態では、端末は、携帯電話、タブレットコンピュータ、ＰＤＡ（Ｐｅｒｓｏｎａｌ  Ｄｉｇｉｔａｌ  Ａｓｓｉｓｔａｎｔ、パーソナルデジタルアシスタント）、ＰＯＳ（Ｐｏｉｎｔ  ｏｆ  Ｓａｌｅ、ポイントオブセール）、車載コンピュータなどを含む任意の端末デバイスであってよい。端末の構造は、携帯電話の例を利用して説明され、無線周波数（Ｒａｄｉｏ  Ｆｒｅｑｕｅｎｃｙ、ＲＦ）回路、メモリ、入力ユニット、ディスプレイユニット、センサ、音声周波数回路、Ｗｉｒｅｌｅｓｓ  Ｆｉｄｅｌｉｔｙ（無線フィデリティ、ＷｉＦｉ）モジュール、プロセッサ、及び電源などのコンポーネントを含む。当業者は、携帯電話の構造が携帯電話に制限を課さず、携帯電話が図に示されているものよりも多い又は少ないコンポーネントを含んでもよく、又は、いくつかのコンポーネントを組み合わせてもよく、又は、異なるコンポーネント配置を有してもよいことを理解し得る。
【手続補正４】
【補正対象書類名】明細書
【補正対象項目名】００６３
【補正方法】変更
【補正の内容】
【００６３】
本発明のこの実施形態では、端末が通常カバレッジモードを必要とするとき、インデックス番号が０から６３のプリアンブルシーケンスが、プリアンブルシーケンスグループとして選択され得る。端末が拡張カバレッジモードを必要とし、Ｎｃｓが１のとき、インデックス番号が６４から９５のプリアンブルシーケンスが、プリアンブルシーケンスグループとして選択され得る。上記の表に基づいて、Ｎｃｓが３／６／１２であり、２つのインタレースがあるとき、サポート可能な６４プリアンブルシーケンスユーザがあり、従って、冗長ユーザがないことに留意されたい。この場合、「拡張カバレッジモード」におけるプリアンブルシーケンスはサポートされない。従って、端末は、プリアンブルシーケンスとして、プリアンブルシーケンスグループから１つのプリアンブルシーケンスを選択し得る。
【手続補正５】
【補正対象書類名】明細書
【補正対象項目名】００８２
【補正方法】変更
【補正の内容】
【００８２】
図６を参照すると、第２の決定モジュール３０２は、
システム情報及び第１のカバレッジモードに基づいてプリアンブルシーケンスを決定するように構成された第４の決定サブモジュール３０２３を含む。
【手続補正６】
【補正対象書類名】明細書
【補正対象項目名】００８３
【補正方法】変更
【補正の内容】
【００８３】
図７を参照すると、図７は、本発明の実施形態による基地局４００であり、
端末によって送信されるプリアンブルシーケンスを受信するように構成された受信モジュール４０１であって、プリアンブルシーケンスは、第１のカバレッジモードを示すために利用され、第１のカバレッジモードは、端末によって必要とされるカバレッジモードを示すために利用されるものと、
プリアンブルシーケンスに基づいて、プリアンブルシーケンスに対応するインデックス番号を決定するように構成された第１の決定モジュール４０２と、
インデックス番号に基づいて端末の第１のカバレッジモードを決定するように構成された第２の決定モジュール４０３とを含む。
【手続補正７】
【補正対象書類名】明細書
【補正対象項目名】００８４
【補正方法】変更
【補正の内容】
【００８４】
図８を参照すると、基地局５００は、
プリセット参照信号受信電力範囲を端末に送信するように構成された送信モジュール４０４をさらに含み、プリセット参照信号受信電力範囲は、端末によってカバレッジモードを決定するために利用される。
【手続補正８】
【補正対象書類名】明細書
【補正対象項目名】００９０
【補正方法】変更
【補正の内容】
【００９０】
プロセッサ５０３は、ハードウェアチップをさらに含んでよい。ハードウェアチップは、特定用途向け集積回路（英語：ａｐｐｌｉｃａｔｉｏｎ−ｓｐｅｃｉｆｉｃ  ｉｎｔｅｇｒａｔｅｄ  ｃｉｒｃｕｉｔ、略してＡＳＩＣ）、プログラマブルロジックデバイス（英語：ｐｒｏｇｒａｍｍａｂｌｅ  ｌｏｇｉｃ  ｄｅｖｉｃｅ、略してＰＬＤ）、又はそれらの組み合わせであってよい。ＰＬＤは、複合型プログラマブルロジックデバイス（英語：ｃｏｍｐｌｅｘ  ｐｒｏｇｒａｍｍａｂｌｅ  ｌｏｇｉｃａｌ  ｄｅｖｉｃｅ、略してＣＰＬＤ）、フィールドプログラマブルゲートアレイ（英語：ｆｉｅｌｄ−ｐｒｏｇｒａｍｍａｂｌｅ  ｇａｔｅ  ａｒｒａｙ、略してＦＰＧＡ）、汎用アレイロジック（英語：ｇｅｎｅｒｉｃ  ａｒｒａｙ  ｌｏｇｉｃ、略してＧＡＬ）、又はそれらの任意の組み合わせであってよい。
【手続補正９】
【補正対象書類名】明細書
【補正対象項目名】００９５
【補正方法】変更
【補正の内容】
【００９５】
メモリ５０２は、揮発性メモリ（英語：ｖｏｌａｔｉｌｅ  ｍｅｍｏｒｙ）、例えば、ランダムアクセスメモリ（英語：ｒａｎｄｏｍ−ａｃｃｅｓｓ  ｍｅｍｏｒｙ、略してＲＡＭ）を含み得る。代替的に、メモリ５０２は、不揮発性メモリ（英語：ｎｏｎ−ｖｏｌａｔｉｌｅ  ｍｅｍｏｒｙ）、例えば、フラッシュメモリ（英語：ｆｌａｓｈ  ｍｅｍｏｒｙ）、ハードディスクドライブ（英語：ｈａｒｄ  ｄｉｓｋ  ｄｒｉｖｅ、略してＨＤＤ）、又はソリッドステートドライブ（英語：ｓｏｌｉｄ−ｓｔａｔｅ  ｄｒｉｖｅ、略してＳＳＤ）を含み得る。代替的に、メモリ５０２は、前述のタイプのメモリの組み合わせを含んでよい。これはここでは限定されない。
【国際調査報告】
2020518162.tif 000019
2020518162.tif 000020
2020518162.tif 000021
2020518162.tif 000022